(57)【要約】【課題】個々の医薬品が適切な温度で管理されていたことを確認することができる医療用台車を提供する。【解決手段】医療用台車１は、医薬品５を載せることができる棚２を備え、医薬品５に備えた温度センサー付きＲＦタグ４と、各棚２付近に備えたアンテナ部３５を介してＲＦタグ４と適宜時間間隔で交信し、ＲＦタグ４のＩＤ情報及びＲＦタグ４の温度センサー４２で感知した温度情報を記憶する記憶部３４を有する制御部３と、備えたことを特徴とする。【選択図】図１
2019042049.tif 000002
【特許請求の範囲】
【請求項１】
医薬品を載せ置く棚を備えた医療用台車であって、
該医薬品に備えた温度センサー付きＲＦタグと、
該棚付近に備えたアンテナ部を介して該ＲＦタグと適宜時間間隔で交信し、該ＲＦタグのＩＤ情報及び該ＲＦタグの温度センサーで感知した温度情報を記憶する記憶部を有する制御部と、
を備えた医療用台車。
【請求項２】
前記制御部は、位置センサーを備え、前記ＩＤ情報及び前記温度情報とともに該位置センサーで感知した位置情報も前記記憶部に記憶させる、請求項１に記載の医療用台車。
【請求項３】
前記制御部は、少なくとも前記ＩＤ情報及び前記温度情報を外部に備えた管理端末又はクラウドサーバに送信できる通信部を備えた、請求項１又は２に記載の医療用台車。
【請求項４】
前記制御部は、上限温度及び制限時間が設定され、前記温度情報が該上限温度以上であることを検知し、その時間が該制限時間を超えたときに前記管理端末に異常情報及び医療用台車毎に割り振られた台車ＩＤ情報を送信して報知する、請求項３に記載の医療用台車。
【請求項５】
複数段の前記棚と、各棚付近に設けた複数の前記アンテナ部と、各棚に対応する発光部と、を備え、
前記制御部は、上限温度及び制限時間が設定され、前記温度情報が該上限温度以上であることを検知し、その時間が該制限時間を超えたときに、該上限温度以上である温度情報を受信したアンテナ部を設けた棚に対応する発光部を発光させる、請求項１〜３のいずれかに記載の医療用台車。
【請求項６】
前記ＲＦタグは、処理部と、電池部と、該電池部の電力により発光するタグ発光部と、を備え、
該処理部は、設定された上限温度を超える温度情報を検知したときに該タグ発光部を発光させる、請求項１〜５のいずれかに記載の医療用台車。
【請求項７】
前記ＲＦタグは、異なる発光色の少なくとも２つのタグ発光部を備える、請求項１〜５のいずれかに記載の医療用台車。
【請求項８】
前記棚に載せることができる保冷箱を備え、
該保冷箱は、前記医薬品を収容できる収容部と、該収容部を保冷できる保冷装置と、該保冷装置を作動させる箱電池部と、前記棚に載せたときに、前記医療用台車に備えた送電部から無線で送電された電力を受電し、該箱電池部を充電させる受電部と、を有する、請求項１〜７のいずれかに記載の医療用台車。
【発明の詳細な説明】
【技術分野】
【０００１】
本発明は、病院などの医療機関において、医薬品や医療器具等を載せて運搬できる医療用台車に関する。
【背景技術】
【０００２】
医薬品や飲食品などは適切に温度管理しておかなければ品質劣化を起こしてしまい廃棄処分しなければならないこともある。
そこで、監視対象食品の経時的な温度変化の履歴を検出して前記履歴に関する検出データを無線で送信可能な履歴計と、前記履歴計から送信された検出データを受信し、その検出データに基づいて前記監視対象食品の状態を監視するデータ処理装置とを備えたことを特徴とし、冷凍食品等の温度変化の履歴をリアルタイムで監視することができ、かつ監視データを正確に送信することが可能な食品監視装置が開発されている（下記特許文献１参照）。
【０００３】
また、配送する複数の荷物の温度を個別に管理する荷物温度管理装置であって、前記荷物毎の温度を検出する温度検出手段と、前記荷物毎の保存温度範囲を示す保存情報を記憶する保存情報記憶手段と、前記保存情報記憶手段が記憶している前記保存情報が示す前記保存温度範囲を、前記温度検出手段が検出した前記温度が逸脱しているか否かを判定する判定手段と、前記判定手段が逸脱していると判定すると、該判定に対応する前記荷物の異常温度を警報するための警報情報を生成する警報情報生成手段と、前記警報情報生成手段が生成した警報情報に基づいて前記警報を行う警報手段と、を備えることを特徴とし、配送する荷物毎の温度を個別に管理することができる荷物温度管理装置が開発されている（下記特許文献２参照）。
【０００４】
さらに、物品ＩＤを記録する識別媒体を付した状態で場所ＩＤがそれぞれ付された複数の場所を経由して搬送される物品の温度を管理する物品温度管理装置であって、前記物品ＩＤごとの搬送履歴を前記場所ＩＤと対応づけた搬送履歴情報を記憶する搬送履歴情報記憶部、および、前記複数の場所の各々における場所温度の時間的な変化を各場所の場所ＩＤと対応づけた場所温度履歴情報を記憶する場所温度履歴情報記憶部とそれぞれ通信可能に接続される通信処理部と、管理対象物品の物品ＩＤである管理対象物品ＩＤの前記搬送履歴情報を、前記通信処理部を介して前記搬送履歴情報記憶部から取得する搬送履歴取得部と、前記搬送履歴取得部が取得した前記搬送履歴情報に含まれる場所ＩＤの場所温度履歴情報を、前記通信処理部を介して前記場所温度履歴情報記憶部から取得する場所温度履歴取得部と、前記場所温度履歴取得部が取得した場所温度履歴情報に基づいて前記管理対象物品の搬送時の温度履歴を与える物品温度履歴情報を作成する物品温度履歴作成部と、を備えたことを特徴とし、簡易な構成で物品の温度履歴情報を取得可能とした物品温度管理装置が開発されている（下記特許文献３参照）。
【０００５】
さらには、温度管理の対象となる物品を収納する収納箱に設けられた温度管理装置であって、前記物品を識別する物品ＩＤを記憶する物品ＩＤ記憶部と、前記収納箱の内部における前記物品の周囲温度を一定周期で温度センサにより検出し、前記周囲温度、前記物品ＩＤおよび計測時間を含む温度データを生成する温度管理部と、前記周囲温度の上限値および下限値を設定温度条件として記憶する設定温度条件記憶部と、前記温度データに含まれる前記周囲温度と前記設定温度条件を比較し、温度異常の有無を判定する温度異常判定部と、前記収納箱の扉開閉動作または前記物品ＩＤに付されたタグの検出結果に基づいて前記物品が前記収納箱から取り出されてからの経過時間を計測する経過時間計測部と、前記経過時間の上限値を設定時間条件として記憶する設定時間条件記憶部と、前記経過時間と前記設定時間条件を比較して時間異常の有無を判定する時間異常判定部と、前記温度異常判定部および前記時間異常判定部における判定結果に応じて前記物品に係る異常発生の有無を示すステータス情報と前記温度データをリアルタイムで表示する表示部と、を備えることを特徴とし、物品の周囲温度および積み替え作業時間を物品単位で管理し、温度変化による物品の品質劣化を防止する温度管理装置が開発されている（下記特許文献４参照）。
【先行技術文献】
【特許文献】
【０００６】
【特許文献１】特開平９−３３０４９２号公報
【特許文献２】特開２００２−２６７３１３号公報
【特許文献３】特開２０１５−２０２９１８号公報
【特許文献４】特開２０１６−２０４０９４号公報
【発明の概要】
【発明が解決しようとする課題】
【０００７】
このように医薬品や飲食品等の品質の安全性を確保するため、温度を適切に管理し、品質劣化が起こる環境下にないかを確認できるような装置等が開発されてきた。
しかし、医薬品のなかでも希少疾病用医薬品（オーファン・ドラッグ）等は、需要が少なく高価でありながら、病院などの医療機関などに卸してしまうと、適切に温度管理がなされて保管されていることが担保できなければ返品することは不可になる。特に病院などにおいて、医薬品を冷蔵庫又は冷凍庫などから病室に運搬する際、医薬品がどのような環境に晒されていたのか確認することはできず、そのため、希少疾病用医薬品（オーファン・ドラッグ）等を利用促進させることの障壁になっていた。
希少疾病用医薬品（オーファン・ドラッグ）等は治療の困難な難病に有効な医薬品として社会的な役割は大きく、患者の数にかかわらず利用を促進させるように努めなければならないものである。
【０００８】
そこで、本発明の目的は、個々の医薬品が適切な温度で管理されていたことを確認することができる医療用台車を提供することにある。
【課題を解決するための手段】
【０００９】
本発明の一実施形態の医療用台車は、医薬品を載せ置く棚を備えた医療用台車であって、該医薬品に備えた温度センサー付きＲＦタグと、該棚付近に備えたアンテナ部を介して該ＲＦタグと適宜時間間隔で交信し、該ＲＦタグのＩＤ情報及び該ＲＦタグの温度センサーで感知した温度情報を記憶する記憶部を有する制御部と、を備えたことを特徴とする。
【００１０】
このようにすることにより、台車の棚に載せた個々の医薬品の温度を適宜時間間隔で記録させておくことができ、個々の医薬品が晒された温度履歴を確認することができる。そのため、医療機関などにおいて個々の医薬品が適切な範囲内で温度管理なされていたことを担保することができる。
【００１１】
上記形態の医療用台車は、前記制御部に、位置センサーを備え、前記ＩＤ情報及び前記温度情報とともに該位置センサーで感知した位置情報も前記記憶部に記憶させることができる。このようにすることにより、個々の医薬品の晒された温度履歴だけでなく、位置履歴も確認することができ、どの場所に運搬されたか追認することができる。
【００１２】
上記形態の医療用台車は、前記制御部に、少なくとも前記ＩＤ情報及び前記温度情報を外部に備えた管理端末又はクラウドサーバに送信できる送信部を備えることができる。このようにすることにより、台車で運搬された医薬品の温度履歴を外部の管理端末又はクラウドサーバから簡単に確認することができる。また、管理端末又はクラウドサーバに温度履歴を保存しておくこともできる。
【００１３】
上記形態の医療用台車は、前記制御部に上限温度及び制限時間を設定し、前記制御部を、前記温度情報が該上限温度以上であることを検知し、その時間が該制限時間を超えたときに前記管理端末に異常情報及び医療用台車毎に割り振られた台車ＩＤ情報を送信して報知する構成にすることができる。このようにすることにより、管理端末において運搬中の医薬品が異常な状態にあることをできるだけ速やかに認知することができ、個々の医薬品の品質劣化をできるだけ防ぐことができる。
【００１４】
上記形態の医療用台車は、複数段の前記棚と、各棚付近に設けた複数の前記アンテナ部と、各棚に対応する発光部と、を備え、前記制御部は、上限温度及び制限時間が設定され、前記温度情報が該上限温度以上であることを検知し、その時間が該制限時間を超えたときに、該上限温度以上である温度情報を受信したアンテナ部を設けた棚に対応する発光部を発光させる構成にすることもできる。このようにすることにより、棚に載せた医薬品が異常な状態にあることを認知することができ、どの棚の医薬品に異常が発生しているのかをすぐに見つけ出すことができる。
【００１５】
上記形態の医療用台車は、前記ＲＦタグを、処理部と、電池部と、該電池部の電力により発光するタグ発光部と、を備え、該処理部は、設定された上限温度を超える温度情報を検知したときに該タグ発光部を発光させる構成にすることができる。このようにすることにより、医薬品が上限温度を超えた状態に長時間晒されていることをタグ発光部の発光により認識することができるので、その医薬品を保冷箱に保管するなど医薬品が劣化しないようにすぐに対処することができる。
【００１６】
上記形態の医療用台車は、前記ＲＦタグを、処理部と、電池部と、該電池部の電力により発光する異なる発光色の少なくとも２つのタグ発光部と、を備え、該処理部は、該少なくとも２つのタグ発光部のうち１つを発光させる構成にすることができる。このようにすることにより、例えば、１つの発光部を赤色、他の発光部を青色の発光色としておき、冷凍する医薬品は赤色の発光部を発光させ、冷蔵する医薬品は青色の発光部を発行させるように設定しておけば、台車にて搬送後に、冷蔵庫、冷凍庫を間違えずに入庫して保管することができる。
【００１７】
上記形態の医療用台車は、前記棚に載せることができる保冷箱を備え、該保冷箱は、前記医薬品を収容できる収容部と、該収容部を保冷できる保冷装置と、該保冷装置を作動させる箱電池部と、前記棚に載せたときに、前記医療用台車に備えた送電部から無線で送電された電力を受電し、該箱電池部を充電させる受電部と、を有する構成にすることができる。このようにすることにより、医薬品を保冷箱に収容した状態で運搬することができ、保冷箱を台車に載せてあるときは電池部は充電されるので保冷状態を保つことができる。
【図面の簡単な説明】
【００１８】
【図１】本発明の一実施形態の医療用台車を示した斜視図である。
【図２】図１の医療用台車における制御部などの構成例を示した図である。
【図３】図１の医療用台車における制御部の記憶部に記憶された温度情報及びＩＤ情報の一例を示した図である。
【図４】図１の医療用台車に載せることができる保冷箱の一例を示した斜視図である。
【図５】図１の医療用台車の変形例を示した斜視図である。
【発明を実施するための形態】
【００１９】
以下、本発明の一実施形態の医療用台車を説明する。但し、本発明は、この実施形態に限定されるものではない。
【００２０】
本発明の一実施形態の医療用台車１は、図１又は図２に示すように、棚２と、制御部３と、を備える。
【００２１】
医療用台車１は、本実施形態では、図１に示すように、４つのキャスター１１を備え、各キャスター１１から上方に延びる円筒状の支柱１２に平板状の棚２を上下方向に適宜間隔で設けてあり、棚２に、ＲＦタグ４を備えた医薬品５などを載せて運搬できるようにしたものである。最上段の棚２の手前側には斜め上方に延びる取っ手１３が設けてあり、把持して台車１を押し引きしやすいようにしてある。
なお、医薬品５は、特に限定するものではないが、保冷などの温度管理する必要があるもの、例えば、希少疾病用医薬品（オーファン・ドラッグ）、血液や血液製剤などを挙げることができる。
【００２２】
棚２は、本実施形態では、図１に示すように、長方形平板状に形成してあり、三段を上下方向にほぼ等間隔で設けてある。棚２の周囲には棒材で形成された柵部２１が設けてあり、棚２に載せた医薬品５などが落ちにくいようにしてある。なお、本発明において、棚２は、少なくとも１段を設けてあればよい。
【００２３】
制御部３は、本実施形態では、図１に示すように、最上段の棚２の手前側に設け、円柱状の軸で支えられた横長長方形状に形成してあり、図２に示すように、表示部３１、処理部３２、通信部３３、記憶部３４、アンテナ部３５、発光部３６、位置センサー３７などを備える。制御部３は、ＲＦタグ４のリーダライタの機能も備えるのが好ましい。
【００２４】
表示部３１は、本実施形態では横長長方形状の液晶ディスプレイとしてあり、各種情報内容を表示し、ＲＦタグ４から送信されたＩＤ情報、温度情報、台車ＩＤ情報などを表示して確認することができるようにしてある。表示部３１はタッチパネルとして各種操作ができる操作ボタンを兼ねるようにし、上限温度やその制限時間などを含む各種設定することができるようにするのが好ましい。
【００２５】
処理部３２は、演算処理するＣＰＵなどを備え、格納したプログラムを実行して情報処理を行うことができる。
通信部３３は、各棚２に設けたアンテナ部３５と接続されてＲＦタグ４と交信することができる。また、外部に備えた管理端末３３ａやクラウドサーバ３３ｂなどと通信することができる。管理端末３３ａとしては、例えばパーソナルコンピュータやポータブルフォン（スマートフォン）などを用いることができる。管理端末３３ａやクラウドサーバ３３ｂなどに記憶部３４に記憶させたＩＤ情報、温度情報、台車ＩＤ情報などを送信することなどができる。管理端末３３ａやクラウドサーバ３３ｂとの通信は、ブルートゥース（登録商標）などの通信規格で行うのが好ましい。
【００２６】
記憶部３４は、メモリーやＨＤ（ハードディスク）などからなり、処理部３２を実行するためのプログラムや温度情報、ＩＤ情報、台車ＩＤ情報、位置情報などの情報を記憶することができる。
【００２７】
アンテナ部３５は、棚２に載せた医薬品５のＲＦタグ４と交信でき、各棚２付近に設けてあり、制御部３からの指令で各アンテナ部３５を介して適宜時間間隔で電波を発信し、その電波をＲＦタグ４が受信し、ＲＦタグ４がＩＤ情報及び温度情報を制御部３に返信するようにしてある。
アンテナ部３５は、本実施形態では各棚２の裏面に備えてあるが、これに限定されるものではなく、各棚２付近に設け、載せた医薬品５のＲＦタグ４と交信できる位置にあれば、いずれの位置に配置してもよい。例えば、アンテナ部３５とＲＦタグ４との交信可能距離は、台車１の大きさにもよるが、約３０ｃｍ〜１００ｃｍにするのが好ましく、医薬品５を棚２に載せた際、ＲＦタグ４がこの範囲に入る位置にアンテナ部３５を設けるのが好ましい。なお、アンテナ部３５としては、アルミ箔などを用いて形成することができる。
【００２８】
発光部３６は、棚２に載せた医薬品５に異常を感知した際に発光させることができるようにしてあり、ＬＥＤなどから形成してある。本実施形態では、発光部２２は各棚２の手前側の端面に設けてあるが、視認しやすい位置に配してあれば、いずれの位置に配置してもよい。また、発光部３６を設けず、表示部３１に医薬品５の異常を感知したことを表示するようにしてもよい。
なお、アンテナ部３５、発光部３６は、制御部３と有線又は無線で接続してある。
【００２９】
位置センサー３７は、病院などの施設内での台車１の位置を検知するものであり、例えば、病院内に張り巡らされた回線を介して階数や位置を検知できるようにしてある。ＧＰＳなどの機能を備えて緯度、経度などの位置を検知することができるようにしてもよく、また、高度計の機能を備えて施設の階数を検知できるようにしてもよい。
【００３０】
ＲＦタグ４は、本実施形態では、図１に示すように、長方形シート状に形成してあり、図２に示すように、処理部４１、温度センサー４２、記憶部４３、アンテナ部４４、電池部４５、タグ発光部４６などを備える。
ＲＦタグ４としては、パッシブタグ、アクティブタグ、セミアクティブタグなどいずれを用いてもよい。
【００３１】
処理部４１は、ＲＦタグ４を制御するものであり、ＩＣなどを備えてなる。
温度センサー４２は、ＲＦタグ４の周辺温度を感知することができる。感知した温度は、温度情報として制御部３の記憶部３４などに記憶される。
【００３２】
記憶部４３は、温度情報、ＩＤ情報（固有ＩＤ）などを記憶することができ、設定した上限温度などを記憶するようにすることができる。
【００３３】
アンテナ部４４は、制御部３と交信するために備える。ＲＦタグ４は、制御部３からの電波を、アンテナ部４４を介して受信して処理部４１へ送り、処理部４１は、制御部３へ温度情報やＩＤ情報などを、アンテナ部４４を介して返信することができる。
【００３４】
電池部４５は、ＲＦタグ４を駆動させるための電力を供給するものである。ＲＦタグ４をパッシブタグとした場合は電池部４５を備えなくてもよい。電池部４５は、乾電池などを用いた交換式としてもよいが充電できるようにするのが好ましい。例えば、制御部３から電波を受信した際に、アンテナ部４４から充電制御部４７を介して電池部４５を充電できるようにし、電池部４５が常にフル充電されているのが好ましい。
タグ発光部４６は、ＬＥＤなどからなり、少なくとも１つ備えることが好ましい。例えば、ＲＦタグ４に上限温度を設定しておき、この上限温度を超えた温度情報を検知した場合に発光させて異常が生じていることを報知することができる。
また、タグ発光部４６は、図１に示すように、発光色を異ならせて２つ設けることができ、そのうち１つを発光させるように設定することができる。例えば、１つのタグ発光部を赤色、他のタグ発光部を青色の発光色としておき、冷凍する医薬品５は赤色の発光部を発光させ、冷蔵する医薬品５は青色の発光部を発行させるように設定しておけば、台車１にて搬送後に、冷蔵庫、冷凍庫を間違えずに入庫して保管することができる。
【００３５】
以下、医療用載台車１の使用方法の一例を示す。
まず、各医薬品５にＲＦタグ４を備え付ける。この場合、ＲＦタグ４を直接医薬品５の容器に貼り付けてもよく、また、医薬品５の容器を箱やケースに入れ、その箱やケースに貼り付けてもよい。ＲＦタグ４は、医薬品５の容器に備えてあればよく、紐などで括りつけたり、箱やケースに同封したりしてもよい。
【００３６】
本例ではＲＦタグ４の固有ＩＤをＩＤ情報として用いる。ＩＤ情報は、例えば、管理端末３３ａなどにおいてＲＦタグ４を備え付けた医薬品５の商品名と予め紐付けしておくのが好ましい。なお、本実施形態ではＩＤ情報を１６桁の数値からなるものとして説明する。
【００３７】
制御部３は、以下のように設定しておく。
制御部３は、アンテナ部３５を介して医薬品５に備えたＲＦタグ４と適宜時間間隔で交信し、温度センサー４２にて感知した温度情報をＲＦタグ４から返信するように設定しておく。このときＩＤ情報も返信する。この時間間隔は、例えば、１分毎、５分毎、１０分毎、２０分毎などに設定することができる。
また、医療用台車１に個別の台車ＩＤを設定しておく。台車ＩＤは、適宜番号として制御部３から設定しておくのが好ましい。本例では台車ＩＤを”0001”と設定しておく。
【００３８】
医薬品５を棚２に載せ、台車１移動させて医薬品５を運搬することができる。本例では、３段目（最上段）に２つの医薬品５を載せ、２段目（中間段）には１つの医薬品を載せてある。
この際、制御部３は、適宜時間間隔でアンテナ部３５を介して電波を発信し、棚２に載せた個々の医薬品５のＲＦタグ４と交信する。ＲＦタグ４は、アンテナ部４４を介して受信し、温度センサー４２で感知した温度情報及びＩＤ情報を返信する。返信された情報は、アンテナ部３５を介して制御部３に受信され、制御部３の記憶部３４に記憶される。この際の時刻も記憶され、また、位置センサー３７により取得した位置情報を必要に応じて記憶することもできる。
記憶部３４には、例えば、図３に示すように、棚２毎に温度情報及びＩＤ情報が記憶される。なお、図３は１０分毎に温度情報を検知した場合を示し、図中の「-」は温度情報が検知されないことを示す。
【００３９】
制御部３の記憶部３４には、ＩＤ情報毎に、温度情報とその温度を計測した時刻、また、必要に応じて位置情報が記憶されることになる。この情報を基に表示部３１に温度履歴を表示させて医薬品５の台車１上での温度履歴を確認することができる。また、管理端末３３ａから無線などで制御部３と通信し、温度情報を制御部３の通信部３３を介して送信させ、管理端末３３ａにおいて医薬品５の温度履歴を確認することもできる。さらに、制御部３からインターネットなどを介して温度情報などをクラウドサーバ３３ｂに送信して記憶させるようにしておけば、パーソナルコンピュータやモバイル端末等をインターネットなどに接続し、どこからでも個別の医薬品５の温度履歴を確認及び管理することができる。
【００４０】
制御部３は、上限温度及び制限時間を設定しておくこともでき、温度情報と照合し、温度情報が上限温度以上である時間が制限時間を超えた場合は、管理端末３３ａなどに異常情報及び台車ＩＤ情報を送信して報知することができ、どの台車に異常が発生しているかを知ることができる。この異常情報の送信はE-mailなどで行うことができる。この上限温度は、例えば−１０°、０℃、５℃などと設定することができ、この制限時間は、例えば３分、５分、１０分などと設定することができる。
【００４１】
異常情報の送信に代えて、或いは異常情報の送信とともに、医薬品５の温度が上限温度以上である時間が制限時間を超えた場合は、制御部３に設けた発光部３６を発光させることができ、この際、上限温度を超えた医薬品５を載せた棚２に対応する発光部３６を発光させるようにする。このようにすることにより、医薬品５に異常が発生していることを認知することができ、さらに、どの棚２に載せた医薬品５に異常が発生しているかをすぐに知ることができる。
【００４２】
ＲＦタグ４は、上限温度を設定することができ、記憶部４３に記憶した温度情報が上限温度を超えた場合は、タグ発光部４６を発光させることができる。このようにすることにより、そのＲＦタグ４を備えた医薬品５に異常が発生していることを外部から認知することができる。この上限温度は、表示部３１などに操作ボタンを表示させて制御部３から設定することが好ましく、例えば−１０°、０℃、５℃などに設定することができ、
【００４３】
ＲＦタグ４は、異なる発光色の２つのタグ発光部４６を備えることができ、例えば、赤色と青色のタグ発光部４６を備え、冷凍品は赤色で発光させ、冷蔵品は青色で発光させるなどの分別をすることができる。これにより、医薬品５の使用後、冷蔵庫や冷凍庫に収納する際に間違いが起こりにくくなる。この設定は、表示部３１などに操作ボタンを表示させて設定することが好ましい。
【００４４】
医薬品５は、図４に示すような保冷箱６に収容して棚２に載せるようにしてもよい。
保冷箱６は、医薬品５を収容できる収容部６１を備え、収容部６１は、保冷装置６２にて適宜温度で保冷できるようにしてある。また、保冷箱６は、制御部３からＲＦタグ４に向けて発信された電波を透過できるように形成しておく。
保冷箱６は、保冷装置６２を作動させる箱電池部６３と、箱電池部６３を充電できる受電部６４と、を備えるのが好ましく、棚２に載せたときに、医療用台車１に備えた送電部（図示せず）から無線で送電された電力を受電部６４で受電し、箱電池部６３を充電できるようにしておくのが好ましい。
これにより、医薬品５を保冷箱６に収容した状態で運搬することができ、医薬品５を冷蔵又は冷凍した状態で運搬することができる。また、保冷箱６を台車１に載せてあるときは、箱電池部６３は常時充電されるので保冷装置６２が停止することがなく、保冷状態を保つことができる。
【００４５】
図５には台車１の変形例が示されており、台車１は、棚２上に保冷庫７を備えてもよい。本例では、１段目（最下段）と２段目（中間段）に保冷庫７を設けてある。
保冷庫７は、扉を開閉して内部の収容部７１に医薬品５などを収容することができ、収容部７１は保冷装置により保冷状態を保てるようにしてある。また、保冷庫７の収容部７１に収容した医薬品５のＲＦタグ４は、保冷庫７に収容した状態で交信できるようにしてある。例えば、収容部７１の底付近にアンテナ部３５を設置し、アンテナ部３５と制御部３とを回線で接続して交信できるようにすることができる。或いは、保冷庫７を制御部３の指令を受けてアンテナ部３５から発信される電波を透過できる材質で形成し、アンテナ部３５を棚２の裏面などに設置しておくことにより、保冷庫７に収容した医薬品５のＲＦタグ４と交信できるようにすることもできる。
これにより、医薬品５を冷蔵又は冷凍した状態で運搬することができ、医薬品５の劣化を極力防ぎながら、温度履歴を管理することができる。
【００４６】
このように、医療用台車１は、病院などの医療機関における運搬時に、医薬品５の温度履歴を記憶部３４に保存して表示部３１や管理端末３３ａなどにて確認することができ、医薬品５が適切な温度で管理されていたことを確認することができる。
【符号の説明】
【００４７】
１医療用台車
１１キャスター
１２支柱
１３取っ手
２棚
２１柵部
３制御部
３１表示部
３２処理部
３３通信部
３４記憶部
３５アンテナ部
３６発光部
３７位置センサー
４ＲＦタグ
４１処理部
４２温度センサー
４３記憶部
４４アンテナ部
４５電池部
４６タグ発光部
４７充電制御部
５医薬品
６保冷箱
６１冷却装置
６２収容部
６３箱電池部
６４受電部
７保冷庫
７１収容部
【図１】
2019042049.tif 000003
【図２】
2019042049.tif 000004
【図３】
2019042049.tif 000005
【図４】
2019042049.tif 000006
【図５】
2019042049.tif 000007